(57)【特許請求の範囲】
【請求項１】
移動変圧器と、
既設変圧器の一次側の各線に高圧側ケーブルを介してそれぞれ接続される高圧側端子と、
前記高圧側端子と前記移動変圧器の一次側端子との間に配置された高圧側遮断器と、
前記既設変圧器の二次側の各線に低圧側ケーブルを介してそれぞれ接続される低圧側端子と、
前記低圧側端子と前記移動変圧器の二次側端子との間に配置された電動の低圧側遮断器と、
前記低圧側遮断器の投入条件を判定して判定結果を表示手段に表示するとともに手動操作に応じて前記低圧側遮断器を投入または遮断させるための操作指令を出力する制御装置とを具備し、
少なくとも前記移動変圧器、前記高圧側遮断器、前記低圧側遮断器及び前記制御装置が移動可能な収納ケースに収納されている移動変圧器設備において、
前記高圧側遮断器は電動で動作するように構成され、
前記制御装置は手動操作に応じて前記高圧側遮断器を投入または遮断させるための操作指令を出力するように構成され、
前記制御装置は、少なくとも前記操作指令を前記高圧側遮断器及び前記低圧側遮断器のそれぞれの駆動回路に出力する操作指令出力手段と前記表示手段とを含んで持ち運び可能に構成された表示機能付き操作装置を含んでおり、
前記収納ケースの内部には、前記表示機能付き操作装置を取り外し自在に固定する操作装置固定部が設けられ、
前記操作装置固定部は前記表示機能付き操作装置が前記操作装置固定部に固定された状態で前記収納ケースの外部から前記表示手段を見ることができてしかも前記表示機能付き操作装置を操作できる位置に設けられ、
前記収納ケースの側壁部には前記操作装置固定部に固定された前記表示機能付き操作装置を操作する際に開けられる開閉扉で閉じられた開口部が設けられており、
前記収納ケースの内部には、非常時等に前記高圧側遮断器を遮断状態にするために前記高圧側遮断器の前記駆動回路に遮断指令信号を出力する非常停止スイッチが、前記表示機能付き操作装置とは別に、前記開口部を通して操作可能な位置に設けられていることを特徴とする移動変圧器設備。
【請求項２】
前記制御装置は、前記移動用変圧器の二次側の線間電圧及び位相と前記既設変圧器の二次側の線間電圧及び位相との電圧差及び位相差を検出し、前記電圧差及び位相差が許容範囲に入っているか否かを判定してその結果を前記表示手段に表示させる機能と、前記高圧側ケーブルが前記高圧側端子に接続されているか否か及び前記低圧側ケーブルが前記低圧側端子に接続されているか否か並びに接地が正常にされているか否かを判定して前記表示手段に表示させる機能と、前記低圧側遮断器の投入条件が揃っていることを前記表示手段に表示させる機能と、前記投入条件が揃っている場合にのみ前記低圧側遮断器の投入を許容する機能を有している請求項１に記載の移動変圧器設備。
【請求項３】
電動で動作する前記高圧側遮断器は、電源がなくても投入状態を保持するラッチ機構を有しており、また前記高圧側遮断器は手動で操作されると前記ラッチ機構を引き外す引き外しレバーが設けられ、前記高圧側遮断器の操作軸には手動で前記操作軸を回転させて投入状態にする投入レバーが設けられている請求項１に記載の移動変圧器設備。
【請求項４】
前記収納ケースには、前記開口部とは別の位置に開閉可能な扉により塞がれた別の開口部が設けられており、前記高圧側遮断機は前記別の開口部を通して前記引き外しレバー及び前記投入レバーを操作できる位置に配置されている請求項３に記載の移動変圧器設備。
【発明の詳細な説明】
【０００１】
【発明の属する技術分野】
本発明は、既設変圧器の無停電交換工事や災害時等に使用されるトラック搭載型移動変圧器設備に関するものである。
【０００２】
【従来の技術】
既設変圧器を無停電で交換する場合や、災害等で既設変圧器が使用できなくなった場合には、トラック等の移動用車両に搭載されて工事現場や災害現場に運ばれる移動変圧器設備が用いられる。従来のトラック搭載型移動変圧器設備は、手動で操作されるタップ切換器を備えた移動変圧器と、既設変圧器の一次側の各線に高圧側ケーブルを介してそれぞれ接続される高圧側端子と、この高圧側端子と移動変圧器の一次側端子との間に配置された高圧側遮断器と、既設変圧器の二次側の各線に低圧側ケーブルを介してそれぞれ接続される低圧側端子と、この低圧側端子と移動変圧器の二次側端子との間に配置された低圧側遮断器と、低圧側遮断器の投入条件を判定して判定結果を表示手段に表示するとともに手動操作に応じて少なくとも低圧遮断器の投入を制御する制御装置とが、専用のトラックの荷台上に載置された収納ケースの内部に収納された構造を有している。
【０００３】
そして従来の移動変圧器設備では、トラックから地上に降りた作業員が作業をしやすいようにとの配慮から、タップ切換器の操作部、少なくとも低圧側遮断器の投入を制御する制御装置の表示手段及び操作部並びに高圧側ケーブル及び低圧側ケーブルが接続される高圧側端子及び低圧側端子をすべてトラックの側方に配置していた。また従来は、低圧側遮断器は電動で動作するものを用いていたが、高圧側遮断器は手動で動作するものを用いていた。
【０００４】
【発明が解決しようとする課題】
そのため従来は、作業員はトラックの側に立って移動変圧器設備の操作をしている。しかしながら作業現場によっては、トラックの側に作業員が立つのに十分なスペースがなかったり、また安全なスペースがない場合もある。また移動変圧器設備を操作する作業員から作業現場が見え難い場合もあり、作業性が悪くなる場合が多々あった。また従来の設備では、高圧側遮断器が手動で動作するものであったため、作業員の負担が大きかった。
【０００５】
本発明の目的は、上記課題を解決できる移動変圧器設備を提供することにある。
【０００６】
本発明の目的は、作業員が任意の位置で移動変圧器設備を操作することができ、しかも作業員の負担を軽減できる移動変圧器設備を提供することにある。
【０００７】
本発明の目的は、持ち運び可能に構成された表示機能付き操作装置を用いて高圧側遮断器及び低圧側遮断器を動作させることができる移動変圧器設備を提供することにある。
【０００８】
本発明の目的は、持ち運び可能に構成された表示機能付き操作装置を用いて高圧側遮断器を動作させる場合において、誤って高圧側遮断器を遮断させるミスが発生するのを防止できる移動変圧器設備を提供することにある。
【０００９】
本発明の他の目的は、上記各目的を達成して、しかも停電時においても高圧側遮断器を動作させることができる移動変圧器設備を提供することにある。
【００１０】
【課題を解決するための手段】
本発明が改良の対象とする移動変圧器設備は、移動変圧器と、既設変圧器の一次側の各線に高圧側ケーブルを介してそれぞれ接続される高圧側端子と、高圧側端子と移動変圧器の一次側端子との間に配置された高圧側遮断器と、既設変圧器の二次側の各線に低圧側ケーブルを介してそれぞれ接続される低圧側端子と、低圧側端子と移動変圧器の二次側端子との間に配置された電動の低圧側遮断器と、低圧側遮断器の投入条件を判定して判定結果を表示手段に表示するとともに手動操作に応じて低圧側遮断器を投入または遮断するための操作指令を出力する制御装置とを具備し、少なくとも移動変圧器、高圧側遮断器、低圧側遮断器及び制御装置が移動可能な収納ケースに収納されている。
【００１１】
なお一般的な制御装置は、移動用変圧器の二次側の線間電圧及び位相と既設変圧器の二次側の線間電圧及び位相との電圧差及び位相差を検出し、電圧差及び位相差が許容範囲に入っているか否かを判定してその結果を表示手段に表示させる機能と、高圧側ケーブルが高圧側端子に接続されているか否か及び低圧側ケーブルが低圧側端子に接続されているか否か並びに接地が正常にされているか否かを判定して表示手段に表示させる機能と、低圧側遮断器の投入条件が揃っていることを表示手段に表示させる機能と、投入条件が揃っている場合にのみ低圧側遮断器の投入を許容する機能を有している。
【００１２】
本発明においては、高圧側遮断器として電動で動作するように構成されたものを用いる。また制御装置は手動操作に応じて高圧側遮断器を投入または遮断させるための操作指令を出力するように構成されている。そして制御装置に、操作指令を高圧側遮断器及び低圧側遮断器のそれぞれの駆動回路に出力する操作指令出力手段と表示手段とを含んで持ち運び可能に構成された表示機能付き操作装置を含める。
【００１３】
このようにすると、周囲に十分なスペースがない場合や周囲の見通しが悪い場合に、作業員は表示機能付き操作装置を持って任意の位置に移動し、任意の位置で高圧側遮断器及び低圧側遮断器の操作をすることができる。したがって作業員の負担が大幅に軽減できる。
【００１４】
なお周囲に十分なスペースがあれば、従来通り表示機能付き操作装置を所定の位置に固定してもよい。そのためには収納ケースの内部に、表示機能付き操作装置を取り外し自在に固定する操作装置固定部を設ける。この操作装置固定部は表示機能付き操作装置が操作装置固定部に固定された状態で収納ケースの外部から表示手段を見ることができてしかも表示機能付き操作装置を操作できる位置に設ける。そして収納ケースの側壁部には、操作装置固定部に固定された表示機能付き操作装置を操作する際に開けられる開閉扉で閉じられた開口部を設けておけばよい。このようにすれば従来と同様にトラックの側に作業員が立った状態で、操作することが可能できる。
【００１５】
表示機能付き操作装置により高圧側遮断器及び低圧側遮断器の両方を操作する場合に、表示機能付き操作装置により非常時に高圧側遮断器を遮断できるようにすると、誤って高圧側遮断器を遮断させてしまい、停電事故が発生するおそれがある。このような事故の発生を防止するためには、収納ケースの内部に、非常時等に高圧側遮断器を非常遮断するために高圧側遮断器の駆動回路に遮断指令信号を出力する非常停止スイッチを、表示機能付き操作装置とは別に、前述の開口部を通して操作可能な位置に設ける。
【００１６】
電動で動作する高圧側遮断器には電源が必要である。もし何らかの理由で電源が得られなくなった場合に遮断して停電が発生するのを防止するために、電動で動作する高圧側遮断器には、電源がなくても投入状態を保持するラッチ機構を持たせる必要がある。しかしながら高圧側遮断器の駆動回路等が故障すると、ラッチ機構を解除できない（引き外すことができない）事態が発生し、高圧側遮断器が投入状態のままになってしまうおそれがある。このような場合に対処するためには、高圧側遮断器に手動で操作されるとラッチ機構を解除する（引き外す）引き外しレバーを設けておくのが好ましい。このような引き外しレバーがあれば、高圧側遮断器の駆動回路が故障した場合でも、ラッチ機構を引き外して高圧側遮断器を遮断状態にすることができる。また電動で動作する高圧用遮断器の電源が停電等により得られない場合でも、低圧配電線に移動変圧器を介して送電することが必要になる場合がある。このような場合に対処するためには、高圧側遮断器の操作軸に手動で操作軸を回転させる投入レバーを設けておけば、高圧側遮断器を手動投入できる。
【００１７】
なおこのような引き外しレバー及び投入レバーを設ける場合には、収納ケースに前述の開口部とは別の位置に開閉可能な扉により塞がれた別の開口部を設け、この別の開口部を通して引き外しレバー及び投入レバーを操作できる位置に高圧側遮断器を配置すれば、作業員が誤ってこれらのレバーを操作することを極力防止できる。
【００１８】
【発明の実施の形態】
以下図面を参照して本発明の実施の形態の一例を詳細に説明する。図１〜図４は、本発明の移動変圧器設備５をトラック３の荷台に搭載したトラック搭載型移動変圧器設備１の左側面図、平面図、右側面図及び背面図である。このトラック３は市販の２トン積みトラックであり、トラック３の荷台３ａ上の前方寄り（運転席側寄り）の部分に、移動変圧器設備５が搭載されている。
【００１９】
図１〜図３を見ると分かるように、移動変圧器設備５はトラック３の荷台３ａの前方側に搭載された状態で荷台３ａの後方側に作業スペースを残すことができる大きさに構成されている。そして移動変圧器設備５はトラック３の荷台上に所定の固定具を用いて固定されている。市販のトラックであるため、移動変圧器設備５を使用する際には、荷台３ａの側方に回転自在に取付けられた側板３ｂ及び３ｃを外側に開いて、荷台３ａの下側に垂らし状態にする。なお理解を容易にするために、図１，図３及び図４においては、側板３ｂ及び３ｄを透明なものとして描いてある。
【００２０】
移動変圧器設備５を構成する機器は、すべて収納ケース７の内部に収納されている。収納ケース７は、鉄製のフレーム枠の上に複数枚の鉄板が装着されて構成された箱体構造を有している。収納ケース７は、トラック３の荷台３ａの一方の側方側（トラック３を正面から見たときの右側面側）に開口する第１の開口部９を有する第１の側壁部７ａ（図３参照）と、トラック３の荷台３ａの他方の側方側（トラック３を正面から見たときの左側面側）に開口する第２の開口部１１を有して第１の側壁部７ａと対向する第２の側壁部７ｂ（図１参照）と、第１及び第２の側壁部７ａ及び７ｂの間に位置してトラック３の荷台３ａの後方側に向かって開口する第３の開口部１３を有する第３の側壁部７ｃ（図４参照）と、第３の側壁部７ｃと対向しトラック３の運転席側に位置する第４の側壁部７ｄ（図１及び図３参照）とを備えている。そして第１乃至第３の開口部９，１１，１３に対してそれぞれ第１乃至第３の開閉扉１５，１７，１９が設けられている。
【００２１】
図３及び図４に示すように第１の開閉扉１５及び第３の開閉扉１９は、上下方向にスライドするスライド式扉であり、図１に示す第２の開閉扉１７は蝶番によって開閉する形式の蝶番式扉である。第１の開口部９の位置は、第１の開閉扉１５を上にスライドしたときに第１の開口部９を開き、下にスライドしたときに第１の開口部９が閉じられるように定められている。また第３の開口部１３の位置は、第３の開閉扉１９を下にスライドしたときに第３の開口部１３を開き、上にスライドしたときに第３の開口部１３が閉じられるように定められている。なお開閉扉１５及び１９には、開閉時に掴むハンドル２１及び２３が設けられている。また第２の開閉扉１７にも、扉の開閉時に操作されるレバー２５が設けられている。図３には図示していないが、第１の開閉扉１５に関しては、スライドの途中で複数段階に別けて扉を停止または固定することができるように、第１の開口部９と第１の開閉扉１５の双方に係止構造が設けられている。
【００２２】
収納ケース７の天板７ｅの外周部には４つの柵部材２７ａ〜２７ｄが固定されて、ケーブルを収納するケーブル収納部２７が構成されている。また収納ケース７の天板７ｅの四隅には吊り上げ用の係止金具２８が固定されている。
【００２３】
移動変圧器設備５をトラック３の荷台３ａの前方側に搭載された状態で荷台３ａの後方側に作業スペースを残すことができる大きさに構成するためには、移動変圧器設備５をコンパクト化しなければならない。この例では、次の様にして移動変圧器設備５をコンパクト化した。図５乃至図９は、移動変圧器設備５の収納ケース７の内部の構造を示している。なおこれらの図においては、収納ケースの外枠だけを実線で示してある。またこれらの図においては、理解を容易にするために主要部の配線ケーブルだけを図示してある。またこの装置の回路図は、図１０に示してある。
【００２４】
これらの図において、２９は移動変圧器である。この移動変圧器２９は、横長の変圧器ケース３１の内部に容量の異なる変圧器コイル（例えば５０ｋＷ，３０ｋＷ）が２台横に並ぶように（トラック３の荷台の左右の方向に並ぶように）収納されている。そして収納ケース７の高さをあまり高くしないようにするために、移動変圧器２９は収納ケース７の底部を構成するフレームによって形成される孔部に落とし込まれた状態でフレームに固定されている。移動変圧器２９は、収納ケース７の第１の側壁部７ａと対向する変圧器ケース３１の第１の側面３１ａにタップ切換器の手動操作部（ハンドル）３３を有している（図６及び図７参照）。図７に破線で示したように、この手動操作部（ハンドル）３３は収納ケース７に設けた第１の開口部９を通して操作可能な位置に設けられている。移動変圧器２９の電圧を調整する際に、手動操作部（ハンドル）３３は手動によって操作される。
【００２５】
図６及び図８に示すように移動変圧器２９の変圧器ケース３１の第１の側面３１ａと対向する第２の側面３１ｂには３つの三相の一次側端子（高圧側）３５Ｒ，３５Ｓ，３５Ｔが配置されている。また図５及び図８に示すように、変圧器ケース３１の第１の側面３１ａと第２の側面３１ｂとの間に位置する第３の側面３１ｃには、三相の出力端子と中性点端子とを含む４本の二次側端子３７Ｕ，３７Ｖ，３７Ｗ，３７Ｎを備えている。
【００２６】
図５，図６及び図８に示すように、収納ケース７の内部には、収納ケース７の第２の側壁部７ｂと移動変圧器２９の変圧器ケース３１の第２の側面３１ｂとの間の空間の下側部分内に高圧側遮断器３９が配置されている。この高圧側遮断器３９については後に詳しく説明する。そして図６及び図８に示すように移動変圧器２９の変圧器ケース３１の第２の側面３１ｂには、一次側端子３５Ｒ，３５Ｓ，３５Ｔの下の位置に、高圧側遮断器３９と後に説明する高圧側端子との間に設けられる限流ヒューズ４１Ｒ，４１Ｓ，４１Ｔを固定するための支持体４３（図８参照）が固定されている。このように限流ヒューズ４１Ｒ，４１Ｓ，４１Ｔを変圧器ケース３１に固定すると、限流ヒューズ４１Ｒ，４１Ｓ，４１Ｔを固定するための特別の構造物が不要になる。また限流ヒューズ４１Ｒ，４１Ｓ，４１Ｔの下に高圧側遮断器３９を配置すると設置スペースを小さくすることができて、収納ケース７の更なる小型化を図ることができる。
【００２７】
高圧側遮断器３９は、電動で投入と遮断とを行うことができ、しかも投入後は電力の供給がなくても投入状態を維持できるラッチ機構付の電動式高圧遮断器または高圧電磁接触器である。この種の電動式高圧遮断器としては、例えば株式会社安川電機がロータリアーク高圧電磁接触器ＨＧＲ−９５１Ｃ−Ｃの製品名で販売するものを用いることができる。なおこの実施の形態では、図５及び図８に示すように、この市販の高圧電磁接触器の操作軸には手動で高圧側遮断器３９の投入を行うための投入レバー４５を取付けている。またこの高圧側遮断器３９には、ラッチ機構を手動で外すための引き外しレバー４６が予め設けられている。投入レバー４５及び引き外しレバー４６は、図１に示した収納ケース７の第２の側壁部７ｂに設けた第２の開閉扉１７によって塞がれた第２の開口部１１を通して操作される。このように第１の開口部９とは別の第２の開口部１１を通して投入レバー４５及び引き外しレバー４６を操作できる位置に高圧側遮断器３９を配置すれば、作業員が誤ってこれらのレバー４５及び４６を操作することを極力防止できる。
【００２８】
また図５〜図７に示すように、収納ケース７の内部には、収納ケース７の第１の側壁部７ａの第１の開口部９を通して操作可能な位置に制御装置の表示機能付き操作装置４７及び手動操作部を含む制御装置固定側本体部４８（操作部）と低圧側遮断器４９が配置されている。これら表示機能付き操作装置４７及び制御装置固定側本体部４８は、移動変圧器２９の変圧器ケース３１の第１の側面３１ａに固定されている。特に表示機能付き操作装置４７は、表示手段と操作指令を高圧側遮断器３９及び低圧側遮断器４９のそれぞれの駆動回路に出力する操作指令出力手段を含んで持ち運び可能に構成されている。この例では、表示機能付き操作装置４７の内部にマイクロコンピュータが内蔵されていて、制御装置で行う判断のすべてをこの内蔵マイクロコンピュータで実行している。また表示機能付き操作装置４７の表示手段は、液晶のタッチパネルにより構成されており、表示機能の他にスイッチ機能を備えている。したがって作業者は、表示手段の画面に表示されたスイッチ表示をタッチするだけで、すべての操作指令を入力できる。このような構造になっているため、この例では表示機能付き操作装置４７が制御装置の主要部分を構成している。
【００２９】
図５に示すように、変圧器ケース３１の第１の側面３１ａには、表示機能付き操作装置４７を取り外し自在に固定する操作装置固定部５１が設けられている。操作装置固定部５１は、表示機能付き操作装置４７が操作装置固定部５１に固定された状態で収納ケース７の第１の開口部９を通して外部から表示手段を見ることができてしかも表示機能付き操作装置４７を操作できる位置に設けられている。図１１に示すように、表示機能付き操作装置４７のケースの両端には、頭部と捩子付の首部を有する係止用捩子部材４７ｃが設けられている。捩子付の首部は表示機能付き操作装置４７のケースに捩子結合されている。そして操作装置固定部５１を構成する一対の板部材５１ａ，５１ａには、係止用捩子部材４７ｃの首部が嵌合される溝部５１ｂ，５１ｂが形成されている。係止用捩子部材４７ｃの頭部を回して、締め付け力を緩めれば、表示機能付き操作装置４７を操作装置固定部５１から外すことができる。また表示機能付き操作装置４７を操作装置固定部５１に取付けた状態で、表示機能付き操作装置４７の取付角度を調節することもできる。
【００３０】
また制御装置固定側本体部４８は、非常時等に高圧側遮断器３９を遮断状態にするために高圧側遮断器３９の駆動回路に遮断指令信号を出力する非常停止スイッチＳＷ１を含んでいる。そして制御装置固定側本体部４８も、収納ケース７の第１の開口部９を通して操作可能な位置に設けられている。表示機能付き操作装置４７により高圧側遮断器３９及び低圧側遮断器４９の両方を操作する場合に、表示機能付き操作装置４７に非常停止スイッチを設けて表示機能付き操作装置４７側で高圧側遮断器を非常遮断できるようにすると、非常時以外のときに誤って高圧側遮断器３９を非常遮断させてしまい、停電事故が発生するおそれがある。そこでこの例では、高圧側遮断器３９を電動で遮断するための操作指令を出力する非常停止スイッチＳＷ１を、表示機能付き操作装置４７とは別に、制御装置固定側本体部４８に設けている。なお制御装置固定側本体部４８に設けたスイッチＳＷ２は、制御装置の制御電源スイッチである。
【００３１】
図９に示すように、この例では表示機能付き操作装置４７は、ケーブルを介して制御装置の制御装置固定側本体部４８に接続されている。この例のように制御装置の操作部の一部を構成する表示機能付き操作装置４７を持ち運び可能に（可搬に）設けると、トラック３の周囲に十分なスペースがない場合や周囲の見通しが悪い場合に、作業員は表示機能付き操作装置４７を持って任意の位置に移動し、任意の位置で高圧側遮断器３９及び低圧側遮断器４９の操作をすることができる。したがって作業員の負担が大幅に軽減できる。
【００３２】
低圧側遮断器４９は、移動変圧器２９の変圧器ケース３１の第３の側面３１ｃに固定された取付フレーム５２に固定されている。低圧側遮断器４９は、電動で投入と遮断の制御が可能なもので、この例では寺崎電機株式会社がＸＳ４００ＮＳの製品名で販売する配線用遮断器を用いている。この低圧側遮断器４９は、ケーブル接続端子箱４９Ａと遮断器本体４９Ｂとにより構成されており、遮断器本体４９Ｂには、故障時の操作を考慮して遮断用の手動操作ハンドルと工具挿入口とが設けられ、また手動投入スイッチも設けられている。低圧側遮断器４９は、高圧側遮断器３９と異なってラッチ機構を有していないため、故障していない限り、電源がなくなると自動的に遮断する。なお後に説明するように、低圧側遮断器４９は、高圧側遮断器３９を投入した後に、制御装置（４７）により低圧側遮断器４９の投入条件の判定が実施されて、制御装置（４７）から投入指令が出力されると投入状態になる。
【００３３】
収納ケース７の内部には、収納ケース７の第３の側壁部７Ｃに設けた第３の開口部１３を通して接続可能な位置にケーブル端子盤５３が配置されている。ケーブル端子盤５３には、図示しない既設変圧器の一次側の各線に図示しない高圧側ケーブルを介してそれぞれ接続される高圧側端子５５Ｒ，５５Ｓ，５５Ｔと、既設変圧器の二次側の各線に図示しない低圧側ケーブルを介してそれぞれ接続される低圧側端子５７Ｕ1 ，５７Ｕ2 ，５７Ｎ1 ，５７Ｎ2 ，５７Ｖ1 ，５７Ｖ2 ，５７Ｗ1 ，５７Ｗ2 と、接地端子５８とが設けられている。この例では、低圧側端子５７Ｕ1 〜５７Ｗ2 を各相について２個ずつ設けている。これは各相について２本ずつのケーブルを用いることにより電流容量を２倍にするためである。なお各相の２つの低圧側端子は、それぞれ収納ケース７の内部で共通の端子部に電気的に接続されている。なお電流容量の大きい高価なケーブルを用いる場合には、低圧側端子を各相について１個ずつ設ければよいのは勿論である。図５に示されるように、高圧側端子５５Ｒ，５５Ｓ，５５Ｔは収納ケース７の第２の側壁部７ｂ側に配置され、また低圧側端子５７Ｕ1 〜５７Ｗ2 は収納ケース７の第１の側壁部７ａ側に配置されている。
【００３４】
高圧側端子５５Ｒ，５５Ｓ，５５Ｔは、図８及び図１０に示すように、限流ヒューズ４１Ｒ〜４１Ｔの高圧側に接続されている。そして限流ヒューズ４１Ｒ〜４１Ｔの低圧側は高圧側遮断器３９の入力端子に接続され、高圧側遮断器３９の出力端子は移動変圧器２９の一次側端子３５Ｒ〜３５Ｔに接続されている。また低圧側端子５７Ｕ1 〜５７Ｗ2 は、図６、図８及び図１０に示すように、低圧側遮断器４９のケーブル接続端子箱４９Ａの出力端子にそれぞれ電気的に接続されている。そして低圧側遮断器４９のケーブル接続端子箱４９Ａの入力端子は、移動変圧器２９の二次側端子３７Ｕ〜３７Ｗにそれぞれ接続されている。図５、図８及び図１０に示すように移動変圧器２９の二次側端子３７Ｕ〜３７Ｗと低圧側遮断器４９とを接続する４本のケーブルのうち２本のケーブルには移動変圧器２９の出力電流を測定するための変流器５９及び６１が配置されている。これらの変流器５９及び６１は、移動変圧器２９の変圧器ケース３１の第３の側面３１ｃに固定した取付板６３に固定されている。このようにすると、変流器を固定するためだけの構造物が不要になるだけでなく、変流器の設置スペースを小さくすることができる。
【００３５】
この例のように、移動変圧器２９の第１の側面３１ａ側にタップ切換器の手動操作部３３と、制御装置の操作部（４７，４８）と低圧側遮断器４９を配置して、収納ケース７の第１の開口部９からタップ切換器の手動操作部３３と制御装置の操作部（４７，４８）とを操作できるようにし、また移動変圧器２９の第１の側面３１ａと反対側の第２の側面３１ｂ側に高圧側遮断器３９を配置して収納ケース７に設けた第２の開口部１１を通して高圧側遮断器３９にアクセスできるようにし、更に収納ケース７の第３の側壁部７ｃに設けた第３の開口部１３を通して接続可能な位置に配置した高圧側端子５５Ｒ，５５Ｓ，５５Ｔを第３の開口部１３内において収納ケース７の第２の側壁部７ｂ側に配置し、また低圧側端子５７Ｕ1 〜５７Ｗ2 を収納ケース７の第１の側壁部７ａ側に配置すると、移動変圧器２９の両側に低圧側機器と高圧側機器とを別けて配置することができて、収納ケース７の第３の側壁部７ｃと第４の側壁部７ｄとの間の距離を短くしても、各機器を収納ケース７の内部に収納することができる。したがって収納ケース７を従来よりも大幅に小型化することができる。またこのように配置すると、収納ケース７の内部における低圧側の電気的な接続と高圧側の電気的な接続とを、短い配線で且つ配線が複雑にならずに、簡単に行うことができる。更に低圧側遮断器４９と高圧側遮断器３９とを移動変圧器２９の両側に別けて配置すると、手動操作により低圧側遮断器４９と高圧側遮断器３９とを操作する場合に、低圧側と高圧側を誤って操作する可能性が低くなる。
【００３６】
収納ケース７の第１の開口部９を通してアクセスできる位置即ち低圧側遮断器４９の下側のスペースには、バッテリ（二次電池）６５とバッテリ６５の充電器６７が配置されている。このバッテリ６５は、制御装置（４７，４８）の電源回路の電源の一部を構成しており、制御装置（４７，４８）は高圧側遮断器３９が投入されるまでは、バッテリ６５を電源として動作するように構成されている。このようにバッテリ６５を搭載すると、定常運転時の制御電源となる移動変圧器２９が充電されていない段階でも、制御装置（４７，４８）を動作状態にすることができる。そのため高圧側遮断器３９を投入する前に低圧側ケーブルの欠相及び接地の不良を検出することができるので、作業の安全性を高めることができる。充電器６７の内部には、移動変圧器２９の出力を整流してバッテリ６５を充電する充電回路が内蔵されており、充電器６７は移動変圧器２９の運転時にバッテリ６５を充電する。また図１０を見ると分かるように、バッテリ６５は充電端子６６を通して１００Ｖの商用電源によっても充電可能である。なお高圧側遮断器３９が投入された後は、制御装置（４７，４８）は充電器６７の出力を電源として動作する。そしてこの例では高圧側遮断器３９の駆動電力を低圧側遮断器４９の出力側即ち既設変圧器の低圧側から得ているが、バッテリ６５から高圧側遮断器３９の駆動電力を得るようにしてもよいのは勿論である。このようにすると停電時に移動変圧器を使用する場合でも、高圧側遮断器３９を電動で駆動することができる。
【００３７】
図１０に示した回路において、６９は高圧側遮断器３９の駆動回路であり、７１は低圧側遮断器４９の駆動回路である。また４７ａは、表示機能付き操作装置４７の内部に収納された制御回路であり、その主要部はマイクロコンピュータによって構成されている。また４７ｂは表示機能付き操作装置４７の表示手段であって、この例では液晶タッチパネルにより表示手段４７ｂが構成されている。制御装置の制御回路４７ａは、移動用変圧器２９の二次側出力の電圧Ｕ２〜Ｎ２と電流を入力として測定した移動用変圧器２９の二次側線間電圧及び位相と低圧側端子５７Ｕ1 〜５７Ｗ2 を通して入力された既設変圧器の二次側の電圧Ｕ１〜Ｎ１を測定して得た既設変圧器の二次側の線間電圧及び位相との電圧差及び位相差を検出し、これらの電圧差及び位相差が許容範囲に入っているか否かを判定して、その結果を表示手段４７ｂに表示させる機能（検相機能）を有している。なおこのような検相に関する技術の一例は、実公平５−４０６８１号公報等に詳しく説明されている。
【００３８】
また制御回路４７ａは，電圧Ｕ２〜Ｎ２及び電圧Ｕ１〜Ｎ１に基づいて、高圧側ケーブルが高圧側端子５５Ｒ〜５５Ｔに接続されているか否か及び低圧側ケーブルが低圧側端子５７Ｕ1 〜５７Ｗ2 に接続されているか否かを判定して表示手段４７ｂに表示させる機能（誤配線検出機能）を有している。
【００３９】
更に制御回路４７ａには、バッテリ６５または充電器６７の出力を電源として高圧側遮断器３９が投入状態にあるときに投入状態検出信号を出力する高圧側遮断器投入状態検出回路７４が接続されている。この高圧側遮断器投入状態検出回路７４は、一端がバッテリ６５及び充電器６７の出力に電気的に接続され他端が制御回路４７ａの入力に電気的に接続された検出スイッチ７３を備えている。この検出スイッチ７３は、高圧側遮断器３９の操作軸によってオンオフされるマイクロスイッチであり、高圧側遮断器３９が投入状態にあるときにオン状態となり、高圧側遮断器３９が遮断状態にあるときにオフ状態となる。したがって検出スイッチ７３がオン状態にあるときには、制御電源スイッチＳＷ２がオン状態になったときに、制御回路４７ａにオン信号（投入状態検出信号）が入力され、制御回路４７ａはこの信号を受信している間表示手段４７ｂに高圧側遮断器３９が投入状態にあることを示す表示をする。
【００４０】
また制御回路４７ａは、高圧側遮断器３９の投入条件についても判定する機能を有している。この場合の投入条件は、低圧側ケーブルの欠相と接地不良がなく、しかも低圧側遮断器４９が遮断状態にあることであり、この投入条件が揃っている場合にのみ、表示手段４７ｂの画面上のスイッチを操作したときに高圧側遮断器３９の駆動回路６９に投入指令が出力される。この投入条件が揃っていない場合には、表示手段４７ｂに満たされていない投入条件を文字または画像で表示し、また投入条件が満たされている場合にはその旨を表示手段４７ｂに文字または画像で表示するように制御回路４７ａが構成されている。
【００４１】
更に制御回路４７ａは、低圧側遮断器４９の投入条件（検相結果が正しいこと、接地ケーブルを含めてすべてのケーブルが正しく接続されていること、高圧側遮断器３９が投入状態にあること）が揃っている場合にのみ低圧側遮断器４９の投入を許容する機能（安全機能）を有している。この安全機能は、投入条件が揃っていなければ、表示機能付き操作装置４７の表示手段４７ｂの画面上のスイッチを操作しても低圧側遮断器４９の駆動回路７１に投入指令が出力されないようにする機能である。このような機能は、従来の装置でも採用されている。なおこの例では、表示手段４７ｂに満たされていない投入条件を文字または画像で表示し、また投入条件が満たされている場合には、その旨を表示手段４７ｂに文字または画像で表示するように制御回路４７ａが構成されている。
【００４２】
この例では、高圧側遮断器３９の駆動回路６９の電源を、低圧側遮断器４９の二次側即ち既設変圧器の二次側の電源から（二次側の充電状態にある負荷から）得るようになっており、低圧側遮断器４９の駆動回路７１の電源は移動変圧器２９の二次側から得るようになっている。そのため既設変圧器側が停電状態で低圧側端子５７Ｕ1 〜５７Ｗ2 に電圧が印加されていない場合（負荷側が充電状態にない場合）には、高圧側遮断器３９を電動では投入状態にすることができない。そのような場合には、手動で投入レバー４５を回転させて高圧側遮断器３９を投入する。正常時であれば高圧側遮断器３９を遮断する場合には、表示機能付き操作装置４７により高圧側遮断器３９を遮断状態する。そして非常時に高圧側遮断器３９を遮断する必要がある場合には、低圧側遮断器４９の二次側即ち既設変圧器の二次側が充電状態にあれば、非常停止スイッチＳＷ１をオン状態にして、高圧側遮断器３９の駆動回路６９の引き外し機構を作動させることにより高圧側遮断器３９は遮断状態にする。なお非常時に、低圧側遮断器４９の二次側即ち既設変圧器の二次側が充電状態になければ、手動で引き外しレバー４６を押し下げることにより高圧側遮断器３９のラッチ機構を引き外して高圧側遮断器３９を遮断状態にする。
【００４３】
この例の装置を例えば既設変圧器を周囲に十分なスペースがない場所で交換する際の作業手順及び装置の運転手順について説明する。トラック３を既設変圧器の近くに停車させる。そして第１及び第３の開閉扉１５及び１３を開け、第１の開口部９から手を入れて制御装置固定側本体部４８上の制御電源スイッチＳＷ２をオン状態にして、バッテリ６５により制御回路４７ａの電源が入る。表示機能付き操作装置４７を操作装置固定部５１から外し、トラック３の荷台３ａの上の作業者に表示機能付き操作装置４７を渡す。トラック３の荷台３ａの作業者は、収納ケース７の上のケーブル収納部２７からケーブルを荷台３ａの上に下ろす。そしてトラック３の荷台３ａの上の作業者は、表示機能付き操作装置４７の表示手段４７ｂの画面で、高圧側遮断器３９及び低圧側遮断器４９が投入状態にないことを確認した後に、まず荷台３ａの上で低圧側端子５７Ｕ1 〜５７Ｗ2 に低圧側ケーブルを接続し、接地端子５８に接地用ケーブルの一端を接続し、その他端を所定の手順で接地する。次に高圧側端子５５Ｒ，５５Ｓ，５５Ｔに高圧側ケーブルを接続する。その後、低圧側ケーブルを既設変圧器の活線状態にある二次側（低圧側）線路に接続する。そしてこの状態で、低圧側ケーブルの欠相及び接地の不良を表示機能付き操作装置４７の表示手段４７ｂの画面で確認する。その後、高圧ケーブルを既設変圧器の活線状態にある一次側（高圧側）線路に接続する。
【００４４】
次に制御回路４７ａが高圧側遮断器３９の投入条件が揃っていることを表示している場合には、表示機能付き操作装置４７の表示手段４７ａ上の高圧側遮断器投入スイッチを押して高圧側遮断器３９を投入する。次に低圧側で検相をして制御回路４７ａが低圧側遮断器４９の投入条件を判定し、低圧側遮断器４９の投入条件が揃っていることを表示手段４７ｂに表示している場合には、表示機能付き操作装置４７の表示手段４７ｂａ上の低圧側遮断器投入スイッチを押して低圧側遮断器４９を投入し、移動変圧器２９を既設変圧器と並列運転させる。投入操作は、トラックの荷台３ａの上またはトラックの周囲でスペースのある場所に作業者が立って行う。移動変圧器２９と既設変圧器の出力電圧が合わない場合には、移動変圧器２９のタップ切換器の手動操作部（ハンドル）３３を回転させて、電圧調整をする。電圧調整を行っても電圧及び位相が一致しない場合には、ある程度時間をおいて再度投入動作を実行する。移動変圧器２９を既設変圧器と並列運転させた後、既設変圧器を配電線から切り離して既設変圧器の交換を行う。そして既設変圧器の交換が完了した後は、交換した変圧器と移動変圧器２９を並列運転させた後に、低圧側遮断器４９を遮断状態にして切り離し、その後に高圧側遮断器３９を遮断状態にする。その後制御電源スイッチＳＷ２をオフ状態とし、また高圧側ケーブルと低圧側ケーブルを取外し、収納ケース７の上のケーブル収納部２７にケーブルを載せ、第１及び第３の開閉扉１５及び１９を閉じる。なお荷台３ａの上にはその他の器材及び交換した既設変圧器を載せてもよい。
【００４５】
上記例では、収納ケースの外部に極力突出物を出さないようするために、高圧側端子及び低圧側端子を収納ケース７の内部に配置したが、高圧側端子及び低圧側端子を収納ケースの外部または外壁（収納ケースの第３の側壁部）に配置してもよいのは勿論である。
【００４６】
また上記例では、第２の開口部を閉じる開閉扉を蝶番を利用した開閉扉にしているが、第２の開口部を閉じる開閉扉を第１及び第３の開口部に対して設けた開閉扉と同様にスライド式の開閉扉にしてもよい。
【００４７】
【発明の効果】
本発明によれば、高圧側遮断器として電動で動作するように構成されたものを用い、制御装置に少なくとも操作指令を高圧側遮断器及び低圧側遮断器のそれぞれの駆動回路に出力する操作指令出力手段と表示手段とを含んで持ち運び可能に構成された表示機能付き操作装置を設けたので、周囲に十分なスペースがない場合や周囲の見通しが悪い場合でも、作業員は表示機能付き操作装置を持って任意の位置に移動し、任意の位置で高圧側遮断器及び低圧側遮断器の操作をすることができ、作業員の負担が大幅に軽減できる利点がある。
【図面の簡単な説明】
【図１】本発明の移動変圧器設備をトラックの荷台に搭載したトラック搭載型移動変圧器設備の左側面図である。
【図２】図１のトラック搭載型移動変圧器設備の平面図である。
【図３】図１のトラック搭載型移動変圧器設備の右側面図である。
【図４】図１のトラック搭載型移動変圧器設備の背面図である。
【図５】移動変圧器設備の収納ケースの内部構造を移動変圧器設備の背面から見た図である。
【図６】図５の移動変圧器設備の平面図である。
【図７】図５の移動変圧器設備の左側面図である。
【図８】図５の移動変圧器設備の右側面図である。
【図９】移動変圧器設備をトラックの荷台に載せた状態で移動変圧器設備の内部構造を示した図である。
【図１０】図５の移動変圧器設備の回路図である。
【図１１】図１１は表示機能付き操作装置の取付構造を示す図である。
【符号の説明】
１  トラック搭載型移動変圧器設備
３  トラック
５  移動変圧器設備
７  収納ケース
９，１１，１３  第１乃至第３の開口部
１５，１７，１９  第１乃至第３の開閉扉
２９  移動変圧器
３１  変圧器ケース
３５Ｒ，３５Ｓ，３５Ｔ  一次側端子
３７Ｕ，３７Ｖ，３７Ｗ，３７Ｎ  二次側端子
３９  高圧側遮断器
４１Ｒ，４１Ｓ，４１Ｔ  限流ヒューズ
４５  投入レバー
４７  表示機能付き操作装置
４８  制御装置固定側本体部
４９  低圧側遮断器
５５Ｒ，５５Ｓ，５５Ｔ  高圧側端子
５７Ｕ1 〜５７Ｗ2   低圧側端子
６５  バッテリ
６７  充電器
【図１】
0004302791.tif 000002
【図２】
0004302791.tif 000003
【図３】
0004302791.tif 000004
【図４】
0004302791.tif 000005
【図５】
0004302791.tif 000006
【図６】
0004302791.tif 000007
【図７】
0004302791.tif 000008
【図８】
0004302791.tif 000009
【図９】
0004302791.tif 000010
【図１０】
0004302791.tif 000011
【図１１】
0004302791.tif 000012